(57)【要約】【課題】  テレビジョン放送の受信状態が悪い場合に、有用な情報を提供することのできる携帯通信端末を提供すること。【解決手段】  ユーザの指示により放送局を選局するためのテレビチューナ１４０と、選局された放送局からの放送信号を復調するための復調部１１６と、復調された放送信号に対応する映像音声信号を出力するための映像音声処理部１１１と、放送信号より電波の受信状況を検出するための受信状況検出部１１８とを備える。制御部１１０は、受信状況検出部１１８により検出された受信状況のレベルが所定値未満であることが所定回数検出された場合に、情報配信元に対して所定の情報の送信を要求する。要求した所定の情報を、パケット送受信部１３０が受信すると、映像音声処理部１１１は、受信した所定の情報に対応する映像・音声信号を出力する処理を行なう。【選択図】        図３
2006041879.tif 000002
【特許請求の範囲】
【請求項１】
ユーザの指示により放送局を選局するための選局手段と、
前記選局手段により選局された前記放送局からの放送信号を復調するための復調手段と、
前記復調手段により復調された前記放送信号に対応する映像・音声信号を出力するための出力処理手段と、
前記放送信号より電波の受信状況を検出するための検出手段と、
前記検出手段により検出された前記受信状況のレベルが所定値未満であることが所定回数検出された場合に、情報配信元に対して所定の情報の送信を要求するための送信要求手段と、
前記送信要求手段が要求した前記所定の情報を、前記情報配信元より受信するための情報受信手段とを備え、
前記情報受信手段が前記所定の情報を受信したときには、前記出力処理手段は、前記所定の情報に対応する前記映像・音声信号を出力する処理を行なう、携帯通信端末。
【請求項２】
前記検出手段は、前記出力処理手段によって前記所定の情報に対応する前記映像・音声信号の出力処理がされている場合、ユーザより前記選局手段を停止させる指示が受け付けられるまでは、前記電波の受信状況を検出する、請求項１に記載の携帯通信端末。
【請求項３】
前記出力処理手段は、前記所定の情報に対応する前記映像・音声信号の出力処理をしている間に、前記検出手段により検出された受信状況のレベルが所定値以上であることを所定回数検知されると、前記放送信号に対応する前記映像・音声信号の出力処理を行なう、請求項１に記載の携帯通信端末。
【請求項４】
前記検出手段は、所定時間ごとに前記受信状況を検出する、請求項１に記載の携帯通信端末。
【請求項５】
前記出力処理手段によって前記所定の情報に対応する前記映像・音声信号の出力処理がされている間、前記所定の情報の更新を行なうか否かをユーザに選択させるための更新選択手段をさらに備え、
前記更新選択手段によって更新を行なうことが選択された場合には、前記送信要求手段は、前記所定の情報の送信を要求する、請求項１に記載の携帯通信端末。
【発明の詳細な説明】
【技術分野】
【０００１】
本発明は、携帯通信端末に関し、特に、テレビチューナを内蔵する携帯通信端末に関する。
【背景技術】
【０００２】
テレビチューナを内蔵した携帯通信端末においてテレビジョン放送を受信する場合、場所によって電波の受信状態が異なる。受信状態が悪ければ、携帯通信端末において表示される画像は、通常、砂嵐状態またはブルーバック表示となる。
【０００３】
このような状態が頻繁に続くことを防止するため、テレビジョン放送の受信状態を検出して、受信状態が悪い場合には、表示を切り替える技術が存在する（特許文献１参照）。
【特許文献１】特開平８−２１４２２５号公報
【発明の開示】
【発明が解決しようとする課題】
【０００４】
しかしながら、特許文献１に記載の技術によれば、テレビジョン放送の受信状態が悪い場合には、外部センサにより検出された温度等、所定の情報しか表示することができない。
【０００５】
本発明は、上記のような問題を解決するためになされたものであって、その目的は、テレビジョン放送の受信状態が悪い場合に、有用な情報を提供することのできる携帯通信端末を提供することである。
【課題を解決するための手段】
【０００６】
この発明のある局面に従う携帯通信端末は、ユーザの指示により放送局を選局するための選局手段と、選局手段により選局された放送局からの放送信号を復調するための復調手段と、復調手段により復調された放送信号に対応する映像・音声信号を出力するための出力処理手段と、放送信号より電波の受信状況を検出するための検出手段と、検出手段により検出された受信状況のレベルが所定値未満であることが所定回数検出された場合に、情報配信元に対して所定の情報の送信を要求するための送信要求手段と、送信要求手段が要求した所定の情報を、情報配信元より受信するための情報受信手段とを備える。
【０００７】
上述の情報受信手段が所定の情報を受信したときには、出力処理手段は、所定の情報に対応する映像・音声信号を出力する処理を行なう。
【０００８】
好ましくは、検出手段は、出力処理手段によって所定の情報に対応する映像・音声信号の出力処理がされている場合、ユーザより選局手段を停止させる指示が受け付けられるまでは、電波の受信状況を検出する。
【０００９】
好ましくは、出力処理手段は、所定の情報に対応する映像・音声信号の出力処理をしている間に、検出手段により検出された受信状況のレベルが所定値以上であることを所定回数検知されると、放送信号に対応する映像・音声信号の出力処理を行なう。
【００１０】
好ましくは、検出手段は、所定時間ごとに受信状況を検出する。
【００１１】
好ましくは、出力処理手段によって所定の情報に対応する映像・音声信号の出力処理がされている間、所定の情報の更新を行なうか否かをユーザに選択させるための更新選択手段をさらに備える。
【００１２】
上述の更新選択手段によって更新を行なうことが選択された場合には、送信要求手段は、所定の情報の送信を要求する。
【発明の効果】
【００１３】
本発明によると、電波の受信状況のレベルが所定値未満であることが所定回数検出された場合に、自動的に所定の情報を受信することができる。また、この場合、放送信号に対応する映像音声信号の出力から、所定の情報に対応する映像音声信号の出力へ、出力を切り替える。これにより、ユーザは、受信状況が悪くなったときには、所定の情報を得ることができる。したがって、ユーザは、快適に有用な情報を得ることができる。
【発明を実施するための最良の形態】
【００１４】
本発明の実施の形態について図面を参照しながら詳細に説明する。なお、図中同一または相当部分には同一符号を付してその説明は繰返さない。
【００１５】
［実施の形態１］
図１は、本発明の実施の形態１にかかる携帯通信端末１００の外観を示す図である。
【００１６】
図１を参照して、携帯通信端末１００は、筐体１０１と、筐体１０１に配置されたディスプレイ１５０と、ユーザが操作するための入力部１２０と、音声を出力するためのスピーカ１６０とを備える。入力部１２０は、ディスプレイ１５０に表示されるカーソルを移動させるための移動キー１２１Ａ〜１２１Ｄと１２キー１２４とを含む。
【００１７】
図２は、本発明の実施の形態１にかかる携帯通信端末１００の通信システムを説明するための図である。
【００１８】
図２を参照して、携帯通信端末１００は、パケット送受信部１３０とテレビチューナ１４０とを備える。携帯通信端末１００は、テレビチューナ１４０が、中継局１８２から送信される電波からテレビ放送局１８０を選局することにより、テレビジョン放送（以下「テレビ放送」という）の放送信号を受信することができる。また、パケット送受信部１３０が、情報配信元、たとえば情報配信サーバ３００ａ，ｂに対して所定の情報の送信を要求することにより、所定の情報を受信することができる。
【００１９】
具体的には、パケット送受信部１３０が所定の情報の送信を要求するパケットデータを送信すると、基地局１９２を介して携帯端末網１９０に送信され、携帯端末網１９０から情報配信サーバ３００ａ，ｂへと届けられる。これにより、情報配信サーバ３００ａ，ｂから所定の情報のパケットデータが送信され、携帯端末網１９０を介して基地局１９２に届けられる。このようにして、パケット送受信部１３０は、基地局１９２から所定の情報のパケットデータを受信することができる。
【００２０】
情報配信サーバ３００ａ，ｂは、携帯端末網１９０を構成する複数の基地局の各々に応じて、所定の情報を配信する。情報配信サーバ３００ａは、たとえば広告の情報配信を行ない、情報配信サーバ３００ｂは、たとえば地域情報の情報配信を行なう。なお、情報配信サーバ３００ａ，ｂは、携帯端末網１９０に接続されている場合もあれば、インターネット回線（図示しない）を介して接続されている場合もある。
【００２１】
実施の形態１において、テレビ放送局１８０から得られる放送信号が、アナログ信号であるものとして説明する。
【００２２】
図３は、実施の形態１の携帯通信端末１００の構成を表わす機能ブロック図である。
【００２３】
図３を参照して、携帯通信端末１００は、図１に示した構成に加えて、アンテナ１１３と、通信制御を行なう通信制御部１１４と、通信制御部１１４に含まれるパケット送受信部１３０から得られるデータを抽出して元の情報に再構成するための抽出再構成部１１５、テレビチューナ１４０から送出される放送信号を復調するための復調部１１６と、抽出再構成部１１５および復調部１１６から送出される信号からディスプレイ１５０に対して映像信号を出力し、スピーカ１６０に対して音声信号を出力するための処理を行う映像音声処理部１１１と、テレビチューナ１４０から送出される放送信号より受信状況を検出するための受信状況検出部１１８と、各種制御を行なうための制御部１１０と、各種データおよびプログラムを記憶するための記憶部１１２と、時間を計測するためのクロック１７０とを備える。
【００２４】
テレビチューナ１４０は、ユーザからのテレビ放送を受信する指示が入力部１２０より受け付けられたときに、制御部１１０により駆動される。また、ユーザからテレビ放送を停止する指示が入力部１２０より受け付けられたときに、制御部１１０により停止される。
【００２５】
通信制御部１１４は、携帯通信端末１００の電源がＯＮの間、図２に示した基地局１９２からのエリア情報を元に位置情報を取得する。取得された位置情報は、記憶部１１２に記憶される。このように、通信制御部１１４が常に位置情報を受信することにより、最新の位置情報が記憶される。位置情報は、携帯通信端末１００を携えたユーザの地理的位置を特定するための情報である。なお、基地局１９２のエリア情報を利用することに代えて、ＧＰＳ（Global Positioning System）を利用してもよい。
【００２６】
受信状況検出部１１８は、復調部１１６において復調される前のテレビチューナ１４０からの放送信号より、電界強度を検出することにより、受信レベルを検出する。記憶部１１２には、予め、テレビ放送を切り替えるための所定の値が記憶される。所定の値は、その値を下回ると、テレビ放送に基づく映像または音声の出力状態が悪く視聴に耐えなくなる値が設定される。この所定の値は、ユーザにより設定されることとしてもよい。
【００２７】
映像音声処理部１１１には、抽出再構成部１１５および復調部１１６からの信号が入力される。映像音声処理部１１１は、制御部１１０からの制御信号に基づき、抽出再構成部１１５から送出されるパケットデータに基づく映像音声信号または復調部１１６から送出されるテレビ放送に基づく映像音声信号のいずれかを出力する処理を行なう。したがって、テレビ放送受信中は、ディスプレイ１５０には、テレビ放送に基づく映像、または、パケット送受信部１３０により受信されたパケットデータに基づく動画、静止画、テキスト等が表示される。また、スピーカ１６０には、同様に、テレビ放送に基づく音声、または、パケット送受信部１３０により受信されたパケットデータに基づく音声が表示される。なお、映像および音声のいずれも出力される必要はなく、どちらか一方であってもよい。
【００２８】
記憶部１１２には、所定の情報に基づくパケットデータを取得するための対応表が格納される。この対応表には、情報の種類と情報配信元のＵＲＬ（Uniform Resource Locator）とが対応付けられている。これにより、ユーザにより情報の種類が指定されると、その情報配信元となるＵＲＬが決定される。なお、本実施の形態においては、予め情報の種類が指定されていて、情報配信元のＵＲＬが予め定められているものとして説明する。
【００２９】
パケット送受信部１３０は、基地局１９２を介してパケットデータの送受信を行なう。本実施の形態において、パケット送受信部１３０は、記憶部１１２に予め記憶された情報配信元のＵＲＬと、位置情報と、当該携帯通信端末１００の識別番号とを含むパケットデータを基地局１９２に送信する。また、情報配信元より基地局１９２を介して、所定の情報に基づくパケットデータを受信する。
【００３０】
このように、携帯通信端末１００が情報配信元のＵＲＬを記憶しておくことにより、すぐに所定の情報を取得するための要求動作を行なうことができる。また、位置情報を付加して情報送信要求を行なうことにより、ユーザはその地域に密着した情報を得ることができる。
【００３１】
図４は、情報配信サーバ３００ａ，ｂのハードウェア構成の一例を示す図である。
【００３２】
図４を参照して、実施の形態１における情報配信サーバ３００ａ，ｂは、各種制御を行なうＣＰＵ３１０（Central Processing Unit）と、マウス３２０と、キーボード３３０と、各種プログラムおよびデータ等を記憶するためのメモリ３４０と、配信情報のデータを記憶するためのハードディスク３５０と、ＦＤ（Flexible Disc）３６２を駆動させるためのＦＤ駆動装置３６０、ＣＤ−ＲＯＭ（Compact Disc-ROM）３７２を駆動させるためのＣＤ−ＲＯＭ駆動装置３７０と、モニタ３８０と、通信回線（図示しない）を介して他の通信装置と接続され所定のプロトコルに基づいて情報通信を行なうための通信ＩＦ（インターフェース）３９０とを備える。
【００３３】
ハードディスク３５０には、たとえばＦＤ駆動装置３６０に装着されたＦＤ３６２や、ＣＤ−ＲＯＭ駆動装置３７０に装着されたＣＤ−ＲＯＭ３７２、あるいは通信ＩＦ３９０を介して取得した所定のデータが格納される。
【００３４】
このように各種のデータが取得され、ハードディスク３５０に記憶されることにより、情報配信サーバ３００ａ，ｂにおいて、新たな情報が作成されたり、情報の更新が行なわれる。
【００３５】
メモリ３４０は、位置情報と提供する情報内容との対応表を有する。提供する情報内容は、たとえば基地局別に対応付けられる。これにより、ＣＰＵ３１０は、通信ＩＦを介して位置情報を取得すると、この対応表に基づき提供する情報内容を決定する。
【００３６】
なお、当該コンピュータシステムのハードウェア構成および各機能は周知であるため、詳細な説明は、繰り返さない。また、このような構成に限定されない。
【００３７】
図５を参照して、ハードディスク３５０におけるデータ構造について説明する。図５は、一例として、地域情報を配信する情報配信サーバ３００ｂのハードディスク３５０におけるデータの格納の一態様を示す図である。このデータは、たとえば本実施の形態に係る携帯通信端末１００に通信事業を提供する事業者の基地局が配置されているエリアに応じて作成されたデータである。
【００３８】
領域Ｆ５１０には、予め準備された地域情報送信のためのデータ、たとえば天気予報やイベント情報やグルメ情報などが記憶される。
【００３９】
領域Ｆ５２０には、各データのファイル名が記憶される。たとえば天気予報のファイル名として「Ａ００１．ｈｔｍｌ」、イベント情報のファイル名として「Ｂ００１．ｈｔｍｌ」、グルメ情報のファイル名として「Ｃ００３．ｈｔｍｌ」が記憶される。
【００４０】
領域Ｆ５３０には、それぞれのデータの配信時間帯が記憶される。たとえば天気予報の配信時間帯として「１２：００〜１２：１５」、イベント情報の配信時間帯として「１２：１５〜１５：００」、グルメ情報の配信時間帯として「１５：００〜１６：００」が記憶される。
【００４１】
領域Ｆ５４０には、領域Ｆ５２０に記憶されているファイルの格納先アドレスが記憶される。たとえば天気予報のファイルの格納先アドレスとして「ａ００１」、イベント情報のファイル名の格納先アドレスとして「ｂ００１」、グルメ情報のファイルの格納先アドレスとして「ｃ００１」が記憶される。
【００４２】
本発明の実施の形態１においては、配信時間帯に応じて配信される情報が切り替わる構成とされる。しかし、このような構成に限らず、たとえばイベント情報が全ての時間配信されるような構成であってもよい。
【００４３】
図６は、本発明の実施の形態１における携帯通信端末１００の処理の流れを示すフローチャートである。図６に示す処理は、ユーザからテレビ放送を受信するための指示の入力を入力部１２０より受け付けたときに開始され、ユーザからテレビ放送を停止する指示の入力を受け付けたときに終了される。
【００４４】
まずはじめに、制御部１１０は、ユーザからテレビ放送を受信するための指示の入力を入力部１２０より受け付けると、テレビチューナ１４０を駆動させる。テレビチューナ１４０を駆動すると、ユーザにより選局されたテレビ放送局１８０からの放送信号を、アンテナ１１３を介して受信する（ステップＳ６０２）。
【００４５】
受信された放送信号は、復調部１１６において復調される。復調された放送信号は、映像音声処理部１１１に入力される。制御部１１０は、その復調された放送信号に含まれる映像データをディスプレイ１５０に出力させるように、映像音声処理部１１１に制御信号を送信する（ステップＳ６０４）。そうすると、ディスプレイ１５０には、テレビチューナ１４０から得た放送信号に基づく映像データが出力される。
【００４６】
そして、同様に、復調部１１６において復調された放送信号に含まれる音声データを、スピーカ１６０に出力させるように、映像音声処理部１１１に制御信号を送信する（ステップＳ６０６）。そうすると、スピーカ１６０から、テレビチューナ１４０から得た放送信号に基づく音声データが出力される。
【００４７】
制御部１１０は、テレビチューナ１４０を駆動させると、受信状況検出部１１８に受信状況を検出させる（ステップＳ６０８）。受信状況検出部１１８は、復調部１１６において復調される前のテレビチューナ１４０からの放送信号から、テレビ放送の受信状況を検出する。
【００４８】
そして、制御部１１０は、受信状況検出部１１８において検出された受信状況を示す数値（以下「受信レベル」という）が、記憶部１１２に記憶された所定値未満であるか否かを判断する。制御部１１０は、たとえば３００ｍｓごとに上記判断を行なう。
【００４９】
上記判断の結果、受信状況検出部１１８により検出された受信レベルが所定値未満であると、制御部１１０は、その回数をカウントしてカウント数を記憶部１１２に記憶させておく。検出された受信レベルが連続して所定値未満であれば、カウント数を更新する。１０回カウントされるまでに受信レベルが所定値以上であることを検知すると、カウント数をリセットする。
【００５０】
このように、制御部１１０は、１０回連続して受信レベルが所定値未満であるか否かを判断する（ステップＳ６１０）。１０回連続して受信レベルが所定値未満となるまでは（ステップＳ６１０においてＮＯ）、制御部１１０は、上記ステップＳ６０２〜Ｓ６０８の処理を繰り返す。
【００５１】
なお、ステップＳ６０４〜Ｓ６０８までの処理は、ほぼ並行して行なわれる処理であり、その順序はこれに限らない。
【００５２】
制御部１１０は、１０回連続して受信状況検出部１１８において検出された受信レベルが所定値未満であると判断した場合（ステップＳ６１０においてＹＥＳ）、ステップＳ６１１に処理を移行する。
【００５３】
ステップＳ６１１において、制御部１１０は、所定の情報の送信を要求する。具体的には、記憶部１１２に記憶されたＵＲＬと位置情報とを読み出し、これらの情報と当該携帯通信端末１００を示す識別番号とを含むパケットデータをパケット送受信部１３０から送信する。
【００５４】
ここで、制御部１１０は、クロック１７０の時間情報をもとに、３０秒タイマ（図示せず）の計時をスタートさせる（ステップＳ６１２）。
【００５５】
そして、制御部１１０は、所定の情報のパケットデータを、パケット送受信部１３０を介して受信する（ステップＳ６１４）。受信されたパケットデータは、抽出再構成部１１５において元の情報に再構成される。
【００５６】
制御部１１０は、ステップＳ６１４においてパケットデータを受信すると、映像音声処理部１１１に制御信号を送信し、抽出再構成部１１５から入力される信号を出力させる。これにより、ディスプレイ１５０には、受信したパケットデータに基づく映像データが出力される（ステップＳ６１６）。また、スピーカ１６０には、受信したパケットデータに基づく音声データが出力される（ステップＳ６１８）。
【００５７】
このようにして、制御部１１０は、ステップＳ６１０で受信状況が悪くなったことを検知すると、テレビ放送の出力から、パケットデータに基づく所定の情報の出力に切り替える。このように、受信状況が悪くなれば自動的に切り替えられるため、ユーザは快適な映像および音声を視聴することができる。
【００５８】
次に制御部１１０は、ステップＳ６１２で計時をスタートさせたタイマにより３０秒経過したか否かを判断する（ステップＳ６２０）。ここで、タイマにより未だ３０秒経過していないと判断されたときには、上記ステップＳ６１４〜Ｓ６１８の処理が繰り返し行なわれる。一方、タイマにより３０秒経過したと判断されたときには、ステップＳ６０８と同様に、テレビ放送の受信状況検出部１１８に受信状況を検出させる（ステップＳ６２２）。
【００５９】
制御部１１０は、受信状況検出部１１８によって検出された受信レベルが、記憶部１１２に記憶された所定値以上であるか否かを判断する。判断の結果、検出された受信レベルが所定値以上であると、制御部１１０は、その回数をカウントしてカウント数を記憶部１１２に記憶させておく。受信レベルが連続して所定値以上であれば、カウント数を更新する。１０回カウントされるまでに受信レベルが所定値未満であることを検知すると、カウント数をリセットする。
【００６０】
このように、制御部１１０は、１０回連続して受信レベルが所定値以上であるか否かを判断する（ステップＳ６２４）。１０回連続して受信レベルが所定値以上となるまでは（ステップＳ６２４においてＮＯ）、制御部１１０は、上記ステップＳ６１４〜Ｓ６２２の処理を繰り返す。これにより、安定的にテレビ放送の受信状況が良くなるまでは、パケットデータに基づく所定の情報をユーザに提供する。
【００６１】
ステップＳ６２４において、制御部１１０が、受信状況検出部１１８により検出された受信レベルが所定値以上であることを、１０回連続で判断した場合には（ステップＳ６２４においてＹＥＳ）、ステップＳ６０２に戻る。このように、安定的にテレビ放送の受信状況が良くなると、自動的にテレビ放送の出力に切り替えられる。
【００６２】
上述のように、ステップＳ６１０およびステップＳ６２４において、受信レベルの判定
結果が１０回連続して所定値未満あるいは所定値以上であった場合に映像音声処理部１１１における出力処理の切り替えを行なう。これにより、頻繁に切り替わることを防止することができる。なお、本実施の形態においては、１０回としたが、これに限らず、たとえば１回であってもよい。この場合、受信状況の検出を、たとえば３秒ごとに行なうこととしてもよい。
【００６３】
また、ステップＳ６１１において３０秒タイマをスタートさせ、３０秒経過した場合に、受信状況を検出する。これにより、制御部１１０における処理の軽減を図ることができる。また、これにより省電力化を図ることができる。
【００６４】
このように、本発明の実施の形態１における携帯通信端末１００は、テレビ放送視聴中に、テレビ放送受信中に電波状況が悪くなった場合には、自動的にパケットデータを受信する。そして、映像および音声の出力を切り替えて、パケットデータに基づく情報をユーザに提示する。これにより、ユーザによる操作の煩わしさがなく、使い勝手がよい。また、テレビ放送が視聴できない間も、ユーザにとって有用な情報を視聴することができる。
【００６５】
また、パケットデータ受信中も、ユーザによって、テレビチューナ１４０の電源をＯＦＦにする指示が受け付けられるまでは、受信状況が検出される。これにより、パケットデータ受信中に、受信状況が良くなったことが判断されると、自動的にテレビ放送に出力が切り替えられる。したがって、受信状況の良い、または視聴に耐えるテレビ放送を、確実にユーザに提供することができる。
【００６６】
なお、情報配信元から配信される情報によっては、ステップＳ６１６またはステップＳ６１８のいずれかのみ行なわれる場合もある。すなわち、映像のみがディスプレイ１５０に表示される場合もあり、音声のみがスピーカ１６０から出力される場合もある。
【００６７】
次に、上述のステップＳ６１１の処理に応じて行なわれる、携帯通信端末１００と情報配信サーバ３００ａ，ｂとの通信について説明する。
【００６８】
ステップＳ６１１において、携帯通信端末１００のパケット送受信部１３０より、情報配信元のＵＲＬと、基地局１９２から取得される位置情報と、携帯通信端末１００の識別番号とを含むパケットデータが発信される。発信されたパケットデータは、基地局１９２に届けられる。基地局１９２に届けられたパケットデータは、携帯端末網１９０を介して該当のＵＲＬを示す情報配信元へ最終的に届けられる。
【００６９】
指定したＵＲＬが、たとえば情報配信サーバ３００ｂを示すＵＲＬであるとすると、図４を参照して、そのパケットデータは通信ＩＦ３９０から入力される。ＣＰＵ３１０は、受信したパケットデータから、位置情報を取得する。そして、メモリ３４０に格納された対応表を元に、提供する情報内容を決定する。
【００７０】
ＣＰＵ３１０は、情報内容を決定すると、その情報内容が格納されたハードディスク３５０から、現在の時刻に基づいて、配信するデータを決定する。
【００７１】
図５を参照して、たとえば、パケットデータを受信した時刻が１２：３０であったとすると、領域Ｆ５３０に記憶された配信時間帯から、配信データは領域Ｆ５１０に記憶されたイベント情報であることが分かる。イベント情報のファイル名は、Ｆ５２０より「Ｂ００１．ｈｔｍｌ」である。その格納先アドレスは、Ｆ５４０より「ｂ００１」であることが分かる。また、ＣＰＵ３１０は、受信したパケットデータから返信先の携帯通信端末１００の識別情報が分かる。
【００７２】
このようにして、情報配信サーバ３００ｂは、携帯通信端末１００の識別情報を宛先とする宛先情報と、アドレス「ｂ００１」に記憶されたデータとを含むパケットデータを、携帯端末網１９０を介して、基地局１９２へ送信する。そして、基地局１９２は、パケットデータの宛先情報から、携帯通信端末１００へとそのパケットデータを転送する。
【００７３】
このようにして、携帯通信端末１００のパケット送受信部１３０が、アンテナ１１３を介してそのデータを受信する（ステップＳ６１４）。
【００７４】
なお、図６のステップＳ６１４において受信されたパケットデータがテキストや静止画であった場合、ユーザに情報を更新するか否かを選択させることとしてもよい。たとえば、ステップＳ６２０において３０秒経過していないと判断されたときに、このような選択を行なわせる。この場合、ユーザにより情報を更新する選択がされると、ステップＳ６１１へ戻り、制御部１１０は、パケット送受信部１３０より再度情報要求データを送信する。このような構成とすることにより、ユーザに新たな情報を提供することができる。
【００７５】
また、情報配信元から送信されるデータは、ストリームデータであってもよい。この場合、たとえば、テレビチューナ１４０を介して受信していたテレビ放送の番組を、パケットデータとして受信することもできる。
【００７６】
図６に示したステップＳ６２４において、受信状況が回復したと判断された場合であっても、ユーザにテレビ放送の出力に戻すか否かを選択させてもよい。この場合、ユーザがテレビ放送の出力に戻さないことを選択すると、引き続き、パケットデータに基づく情報をユーザに提供することができる。
【００７７】
実施の形態１において、情報配信元を特定するためのＵＲＬを、記憶部１１２の対応表により決定することとしたが、これに限られない。たとえばユーザが入力部１２０を操作することにより直接決定されることとしてもよい。また、情報配信元を特定するための情報としては特にＵＲＬに限られない。
【００７８】
また、情報配信元のハードディスク３５０に、種々の情報データが基地局別に格納されている場合には、携帯通信端末１００の記憶部１１２には単に情報配信元のＵＲＬを記憶させておくだけであってもよい。この場合、携帯通信端末１００のパケット送受信部１３０より、上述と同様にＵＲＬと位置情報と携帯通信端末１００の識別番号とを含むパケットデータを送信すると、情報配信元より、種々のデータが配信される。
【００７９】
また、携帯通信端末１００で位置情報を付加してパケットデータを送信せずに、基地局１９２において位置情報が付加されることとしてもよい。
【００８０】
また、携帯通信端末１００の記憶部１１２には、予め、位置情報と、情報の種類と、情報配信サーバのＵＲＬとの対応表が格納されることとしてもよい。たとえばユーザにより、または予め、地域情報を受信するように設定されているとすると、制御部１１０は、基地局１９２からの位置情報と対応表とを参照して、その位置情報の含まれる地域の、地域情報を配信する情報配信元のＵＲＬを取得する。この場合、携帯通信端末１００側で位置情報に対応した情報配信元を決定するため、情報配信元において位置情報と提供する情報との対応表は不要となる。
【００８１】
また、記憶部１１２にキャッシュ領域を設けることとしてもよい。この場合、直前に受信したパケットデータをキャッシュ領域に記憶させておく。そして、図６に示すステップＳ６１０においてＹＥＳの判断がなされたときに、制御部１１０は、ステップＳ６１１で情報要求データを送信する前に、キャッシュ領域を確認する。そして、キャッシュ領域に記憶されているデータであることが分かれば、キャッシュ領域から直接取り出す。そうすると、ステップＳ６１１の処理を省略することができ、さらにスムーズに所定の情報をユーザに提供することができる。なお、このような構成の場合、キャッシュ領域から取り出した情報が古い場合がある。したがって、たとえばステップＳ６２０において３０秒経過していないと判断されたときに、ユーザに情報を更新するか否かを選択させる。そして、ユーザにより情報を更新することが選択されると、ステップＳ６１１の処理を実行する。このような構成とすることにより、ユーザに新たな情報を提供することができる。
【００８２】
［実施の形態１の変形例］
実施の形態１の変形例では、テレビ放送局１８０から得られる放送信号が、デジタル信号である場合について説明する。
【００８３】
図７は、実施の形態１の変形例における携帯通信端末２００の構成を表わす機能ブロック図である。
【００８４】
図７を参照して、実施の形態１の変形例における携帯通信端末２００の構成は、実施の形態１の携帯通信端末１００における復調部１１６に代えて、復調部２１６およびＭＰＥＧデコーダ２１７が設けられる。他の構成については、上述の実施の形態１と同様であるためその説明は繰り返さない。
【００８５】
復調部２１６は、テレビチューナ１４０から送出される変調された放送信号を復調する。また、ＭＰＥＧデコーダ２１７は、圧縮されている映像音声信号を復号化する。
【００８６】
実施の形態１の変形例における携帯通信端末２００の受信状況検出部１１８は、復調部２１６において復調された放送信号より受信状況を検出する。具体的には、受信状況検出部１１８は、復調部２１６から送出される放送信号より、ＢＥＲ（Bit Error Rate）の検出を行なったり、ＴＳ（Transport Stream）エラー評価を行なうことにより、受信状況を検出する。
【００８７】
記憶部１１２に、視聴不可能となる所定の値を、予め記憶しておく。これにより、制御部１１０は、受信状況検出部１１８からの信号を受信して、検出された受信レベルと所定値とを比較する。
【００８８】
実施の形態１の変形例における携帯通信端末２００における処理の流れは、実施の形態１において図６に示したフローチャートと同様の流れであるので、説明は繰り返さない。
【００８９】
このように、デジタル放送においても、アナログ放送と同様に受信状況を検出して、所定の情報に、自動的に出力を切り替えることができる。これにより、ユーザによる操作の煩わしさがなく、使い勝手がよい。また、テレビ放送が視聴できない間も、ユーザにとって有用な情報を視聴することができる。
【００９０】
なお、本発明の実施の形態１およびその変形例において、携帯通信端末として携帯電話を用いて説明したが、その他の端末にであってもよい。すなわち、図１に示されるような携帯電話は、ユーザが片手で把持することができる大きさあるいは形状を有するが、このような態様に限られず、必ずしも片手で把持ができない端末であってもよい。
【００９１】
実施の形態１およびその変形例に係る携帯通信端末１００，２００の機能は、各ハードウェアおよび制御部１１０により実行されるソフトウェアによって実現される。このようなソフトウェアは、メモリカード等の着脱可能な情報記録媒体に格納して流通させてもよい。
【００９２】
今回開示された実施の形態およびその変形例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】本発明の実施の形態１にかかる携帯通信端末の外観を示す図である。
【図２】本発明の実施の形態１にかかる携帯通信端末の通信システムを説明するための図である。
【図３】実施の形態１の携帯通信端末の構成を表わす機能ブロック図である。
【図４】情報配信サーバのハードウェア構成の一例を示す図である。
【図５】地域情報を配信する情報配信サーバのハードディスクにおけるデータの格納の一態様を示す図である。
【図６】本発明の実施の形態１における携帯通信端末の処理の流れを示すフローチャートである。
【図７】実施の形態１の変形例における携帯通信端末の構成を表わす機能ブロック図である。
【符号の説明】
【００９４】
１００，２００  携帯通信端末、１０１  筐体、１１０  制御部、１１１  映像音声処理部、１１２  記憶部、１１３  アンテナ、１１４  通信制御部、１１５  抽出再構成部、１１６  復調部、１１８  受信状況検出部、１２０  入力部、１３０  パケット送受信部、１４０  テレビチューナ、１５０  ディスプレイ、１６０  スピーカ、１７０  クロック、１８０  テレビ放送局、１９０  携帯端末網、１９２  基地局、２１６  復調部、２１７  ＭＰＥＧデコーダ、３００ａ，ｂ  情報配信サーバ。
【図１】
2006041879.tif 000003
【図２】
2006041879.tif 000004
【図３】
2006041879.tif 000005
【図４】
2006041879.tif 000006
【図５】
2006041879.tif 000007
【図６】
2006041879.tif 000008
【図７】
2006041879.tif 000009